(57)【特許請求の範囲】
【請求項１】
ノイズおよび干渉が存在する所で信号を受信する方法であって、
信号とノイズと干渉間の関係が規準を満たす時に信号を復調するステップと、
信号とノイズと干渉間の関係が規準を満たさない時に信号を同時復調するステップと、
を含む方法。
【請求項２】
請求項１記載の方法であって、前記規準は第１の規準であり同時復調ステップは、
ノイズと干渉間の関係が第２の規準を満たす場合に信号を復調するステップと、
ノイズと干渉間の関係が第２の規準を満たさない場合に信号を同時復調するステップと、
を含む方法。
【請求項３】
請求項１記載の方法であって、
復調ステップは信号対ノイズおよび干渉比が閾値を越える時に信号を復調するステップを含み、
同時復調ステップは信号対ノイズおよび干渉比が閾値よりも小さい時に信号を同時復調するステップを含む方法。
【請求項４】
請求項３記載の方法であって、閾値は第１の閾値であり同時復調ステップは、
干渉対ノイズ比が第２の閾値よりも小さい場合に信号を復調するステップと、
干渉対ノイズ比が第２の閾値を越える場合に信号を同時復調するステップと、
を含む方法。
【請求項５】
請求項４記載の方法であって、前記干渉は干渉信号同期ワードを含む干渉信号を含み、同時復調ステップは、
受信信号内の干渉信号同期ワードを見つけ出すステップと、
見つけ出された干渉信号同期ワードからのノイズ電力に対する干渉信号の電力を決定して、干渉対ノイズ比を決定するステップと、
を含む方法。
【請求項６】
請求項５記載の方法であって、同時復調ステップは見つけ出された干渉信号同期ワードに応答して信号を同時復調するステップを含む方法。
【請求項７】
請求項１記載の方法であって、信号は干渉信号同期シーケンスを有する干渉信号を含む受信信号内に、希望信号同期シーケンスを含む希望信号を含み、同時復調ステップは、
受信信号を同期化するステップと、
同期化された受信信号から第１の希望信号、受信信号の干渉対イズ比の推定値および干渉信号同期シーケンスの識別を発生するステップと、
受信信号のキャリア対干渉およびノイズ比の推定値を発生するステップと、
干渉信号同期シーケンスの識別に応答して受信信号を同時復調して第２の希望信号を発生するステップと、
受信信号のキャリア対干渉およびノイズ比の推定値および受信信号の干渉対ノイズ比の推定値に基づいて第１の希望信号および第２の希望信号の一方を選択するステップと、
を含む方法。
【請求項８】
請求項７記載の方法であって、
同時復調ステップは、さらに、第１の希望信号に応答して第２の希望信号を発生する方法。
【請求項９】
請求項７記載の方法であって、さらに、
同期化された受信信号および干渉信号同期シーケンスの識別に応答して干渉信号チャネルを推定し、干渉信号に対するチャネル推定値を発生するステップを含み、同時復調ステップは干渉信号に対するチャネル推定値にも応答する方法。
【請求項１０】
請求項７記載の方法であって、選択ステップは信号対ノイズおよび干渉比が第１の閾値よりも小さい時に第２の希望信号を選択し、干渉対ノイズ比が第２の閾値よりも大きい時に第１の希望信号を選択するステップを含む方法。
【請求項１１】
請求項７記載の方法であって、干渉信号同期シーケンスの識別を発生するステップは、
受信信号を復調して希望信号の推定値および残留信号の推定値を発生するステップと、
受信信号のキャリア対干渉およびノイズ比の推定値を発生するステップと、
受信信号のキャリア対干渉およびノイズ比の推定値に基づいて受信信号および残留信号の推定値の一方を選択するステップと、
受信信号および残留信号の推定値の選択された一方に応答して干渉信号同期シーケンスを見つけるステップと、
を含む方法。
【請求項１２】
請求項１１記載の方法であって、選択ステップは、
受信信号のキャリア対干渉およびノイズ比の推定値が閾値よりも小さい場合に受信信号を選択するステップと、
受信信号のキャリア対干渉およびノイズ比の推定値が閾値よりも大きい場合に残留信号の推定値を選択するステップと、
を含む方法。
【請求項１３】
請求項１１記載の方法であって、選択ステップは受信信号のキャリア対干渉およびノイズ比の推定値が閾値を越える場合に受信信号および残留信号の推定値の一方を選択するステップを含む方法。
【請求項１４】
請求項１１記載の方法であって、復調ステップは、
受信信号を復調して希望信号の推定値を発生するステップと、
希望信号の推定値を受信信号から減じて残留信号の推定値を発生するステップと、
を含む方法。
【請求項１５】
請求１１項記載の方法であって、見つけ出すステップは、  見つけ出された干渉信号同期シーケンスから干渉信号応答を推定するステップを含む方法。
【請求項１６】
請求項１３記載の方法であって、閾値は第１の閾値であり選択ステップは、
受信信号のキャリア対干渉およびノイズ比の推定値が第２の閾値よりも小さい場合に受信信号を選択するステップと、
受信信号のキャリア対干渉およびノイズ比の推定値が第２の閾値よりも大きく第１の閾値よりも小さい場合に残留信号の推定値を選択するステップと、
を含む方法。
【請求項１７】
請求項１４記載の方法であって、受信信号を復調して希望信号の推定値を発生するステップは、
受信信号を復調して非符号化ビットを発生するステップと、
復調信号を復号するステップと、
復号信号を再符号化して符号化ビットを発生するステップと、
符号化ビットおよび復号に使用されない非符号化ビットのセットを結合して検出シーケンスを発生するステップと、
検出シーケンスを再変調するステップと、
希望信号チャネル推定値を有する再変調検出シーケンスを適用して希望信号の推定値を発生するステップと、
を含む方法。
【請求項１８】
請求項１５記載の方法であって、推定ステップは、
見つけられた干渉信号同期シーケンスに応答して、複数の遅延の各々に対する媒体応答を推定するステップと、
推定された媒体応答のサブセットを選択して複数の媒体応答レイを作り出すステップと、
媒体応答レイに応答して干渉チャネル応答を推定するステップと、
を含む方法。
【請求項１９】
ノイズおよび干渉が存在する所で信号を受信するシステムであって、
信号とノイズと干渉間の関係が規準を満たすことに応答する復調器と、
信号とノイズと干渉間の関係が規準を満たさないことに応答する同時復調器と、
を含むシステム。
【請求項２０】
請求項１９記載のシステムであって、
前記規準は第１の規準であり、
復調器はノイズと干渉間の関係が第２の規準を満たすことにも応答し、
同時復調器はノイズと干渉間の関係が第２の規準を満たさないことにも応答する、
を含むシステム。
【請求項２１】
請求項１９記載のシステムであって、
復調器は信号対ノイズおよび干渉比が閾値を越えることに応答し、
同時復調器は信号対ノイズおよび干渉比が閾値よりも小さいことに応答する、システム。
【請求項２２】
請求項２１記載のシステムであって、
閾値は第１の閾値であり、
復調器は第２の閾値よりも小さい干渉対ノイズ比がにも応答し、
同時復調器は第２の閾値を越える干渉対ノイズ比がにも応答する、システム。
【請求項２３】
請求項２２記載のシステムであって、干渉は干渉信号同期ワードを含む干渉信号を含み、同時復調器は受信信号内の干渉信号同期ワードを見つけ出し、見つけ出された干渉信号同期ワードからのノイズ電力に対する干渉信号の電力を決定して、干渉対ノイズ比を決定するシステム。
【請求項２４】
請求項２３記載のシステムであって、同時復調器は見つけ出された干渉信号同期ワードに応答して信号を同時復調するシステム。
【請求項２５】
請求項１９記載のシステムであって、信号は干渉信号同期シーケンスを有する干渉信号を含む受信信号内に、希望信号同期シーケンスを含む希望信号を含み、同時復調器は、
受信信号を同期化するシンクロナイザと、
シンクロナイザに応答して第１の希望信号、受信信号の干渉対イズ比の推定値および干渉信号同期シーケンスの識別を発生する検出器であって、シンクロナイザおよび検出器の少なくとも一方は受信信号のキャリア対干渉およびノイズ比の推定値も発生する検出器と、
シンクロナイザおよび干渉信号同期シーケンスの識別に応答して第２の希望信号を発生する同時復調器と、
受信信号のキャリア対干渉およびノイズ比の推定値および受信信号の干渉対ノイズ比の推定値に基づいて第１の希望信号および第２の希望信号の一方を選択するセレクタと、
を含むシステム。
【請求項２６】
請求項２５記載のシステムであって、
同時復調器は、さらに、第１の希望信号に応答して第２の希望信号を発生するシステム。
【請求項２７】
請求項２５記載のシステムであって、さらに、
同期化された受信信号および干渉信号同期シーケンスの識別に応答して干渉信号に対するチャネル推定値を発生する干渉信号チャネル推定器を含み、同時復調器は干渉信号に対するチャネル推定値にも応答するシステム。
【請求項２８】
請求項２５記載のシステムであって、セレクターは信号対ノイズおよび干渉比が第１の閾値よりも小さい場合に第２の希望信号を選択し、干渉対ノイズ比が第２の閾値よりも大きい場合に第１の希望信号を選択するシステム。
【請求項２９】
請求項２５記載のシステムであって、
受信信号に応答して希望信号の推定値および残留信号の推定値を発生する復調器と、
キャリア対干渉およびノイズ比推定値発生器と、
受信信号のキャリア対干渉およびノイズ比の推定値に基づいて受信信号および残留信号の推定値の一方に応答する干渉信号同期シーケンスファインダと、
を含むシステム。
【請求項３０】
請求項２９記載のシステムであって、干渉信号同期シーケンスファインダは受信信号のキャリア対干渉およびノイズ比の推定値が閾値よりも小さい場合には受信信号に応答し、受信信号のキャリア対干渉およびノイズ比の推定値が閾値よりも大きい場合には残留信号の推定値に応答するシステム。
【請求項３１】
請求２９項記載のシステムであって、干渉信号同期シーケンスファインダは受信信号のキャリア対干渉およびノイズ比の推定値が閾値を越える場合に受信信号および残留信号の推定値の一方に応答するシステム。
【請求項３２】
請求２９項記載のシステムであって、復調器は受信信号を復調して希望信号の推定値を発生し、希望信号の推定値を受信信号から減じて残留信号の推定値を発生システム。
【請求項３３】
請求２９項記載のシステムであって、さらに、
見つけられた干渉信号同期シーケンスに応答する干渉チャネル応答推定器を含むシステム。
【請求項３４】
請求項３１記載のシステムであって、
閾値は第１の閾値であり、干渉信号同期シーケンスファインダは受信信号のキャリア対干渉およびノイズ比の推定値が第２の閾値よりも小さい場合には受信信号に応答し、受信信号のキャリア対干渉およびノイズ比の推定値が第２の閾値よりも大きく第１の閾値よりも小さい場合に残留信号の推定器に応答するシステム。
【請求項３５】
請求項３２記載のシステムであって、復調器は受信信号を復調して非符号化ビットを発生し、復調信号を復号し、復号信号を再符号化して符号化ビットを発生し、符号化ビットおよび非符号化ビットを結合して検出シーケンスを発生し、検出シーケンスを再変調し希望信号チャネル推定値を有する再変調検出シーケンスを適用して希望信号の推定値を発生するシステム。
【請求項３６】
請求項３３記載のシステムであって、干渉チャネル応答推定器は、
見つけられた干渉信号同期シーケンスに応答して、複数の遅延の各々に対する媒体応答を推定する媒体応答推定器と、
推定された媒体応答のサブセットを選択して複数の媒体応答レイを作り出すセレクターと、を含み、
干渉チャネル応答推定器は媒体応答レイに応答して干渉チャネル応答を推定するシステム。
【発明の詳細な説明】
【０００１】
（技術の分野）
本発明はデジタル通信に関し、特に、ノイズおよび干渉が存在する所で受信信号を同時復調するシステムおよび方法に関する。
【０００２】
同時復調(joint demodulation)は干渉信号も含む受信信号から希望信号を検出するのに広く使用されている。同時復調では、希望信号および干渉信号は共に希望信号および干渉信号に関する情報に基づいて復調され、希望信号のより良い推定値を得るようにされている。
【０００３】
同時復調は、例えば、ボトムレイの米国特許第5,506,861号 System and Method for Joint Demodulation of CDMA Signals,ウェールの米国特許第5,640,432号 Co-Channel Interference Suppression System,および１９９８年８月３１日に出願され本発明の譲受人に譲り受けられたファフィーズ等の米国特許出願第09/143,821号 Methods and Systems for Reducing Co-Channel Interference Using Multiple Timings for a Received Signal に記載されている。同時復調は下記の出版物にも記載されている。ファフィーズ等の Co-Channel Interference Cancellation for D-AMPS Handsets, Proceedings of the 49th IEEE Vehicular Technology Conference, May 1999, pp.1026-1031、ムラタ等の Joint Frequency Offset and Delay Profile Estimation Technique for Nonlinear Co-channel Interference Canceller, Proceedings of the PIMRC, November 1998, pp.486-490、およびロ等の Adaptive Equalization and Interference Cancellation for Wireless Communication Systems, IEEE Transactions on Communications, Vol. 47, No. 4, April 1999, pp.538-545。前記した全ての引用特許、特許出願および出版物はその全体が本開示の一部としてここに組み入れられている。
【０００４】
同時復調は干渉信号を含む受信信号から希望信号を検出するのに非常に有効ではあるが、文中で受信信号の単なる“復調”といわれる標準すなわち従来の復調よりも一層複雑となることがある。したがって、干渉信号が存在する所で受信信号を同時に復調する改善されたシステムおよび方法が継続的に必要とされている。
【０００５】
（発明の開示）
本発明は信号とノイズと干渉間の関係が規準を満たす時に信号を復調し、信号とノイズと干渉間の関係が規準を満たさない時に信号を同時に復調することによりノイズおよび干渉が存在する所で信号を受信する。さらに、信号はノイズと干渉間の関係が第２の規準を満たす時に復調することができ、ノイズと干渉間の関係が第２の規準を満たさない時に同時に復調することができる。
【０００６】
同時復調は干渉信号が存在すると仮定することを理解することに本発明は由来する。しかしながら、多くの場合、干渉信号の存在はマルチパスおよび／または信号伝送パス内に導入される他の歪によって決まる。したがって、干渉信号の強度は時間にわたって変化することがある。干渉が僅かであるか無い場合に同時復調が実施されると、同時復調の性能は劣化することがある。さらに、同時復調により付加される複雑さはキャンセルすべき干渉信号が僅かであるか無い場合には無駄になることがある。
【０００７】
本発明に従って、標準復調で十分であるかあるいは同時復調を実施すべきであるかが考慮される。特に、信号対ノイズおよび干渉比が第１の閾値を超える時は復調を実施することができ、信号対ノイズおよび干渉比が第１の閾値よりも小さい時は同時復調を実施することができる。さらに、干渉対ノイズ比が第２の閾値よりも小さければ信号を復調することができ、干渉対ノイズ比が第２の閾値を越える場合には信号を同時復調することができる。したがって、希望信号電力がノイズおよび干渉に対して高ければ、同時復調をスキップして復調を実施することができる。さらに、希望信号電力が干渉およびノイズに比べて大きくなければ、ノイズ電力に対して干渉電力が高い時だけ同時復調を使用することができる。
【０００８】
本発明のもう一つの側面に従って、干渉信号は干渉信号同期ワードを含んでいる。干渉信号同期ワードは受信信号内で見つかり、ノイズ電力に対する干渉信号の電力は干渉信号同期ワードから決定され、それにより干渉対ノイズ比が決定される。したがって、干渉信号同期ワードを見つけることにより干渉対ノイズ電力を測定して同時復調の使用を制御する能力が提供される。さらに、見つけられる干渉信号同期ワードは干渉信号のチャネル推定値の推定を改善することができ、それはコンポジットチャネル応答に比べて干渉信号の媒体応答に関して推定することができる。
【０００９】
したがって、受信信号を復調して希望信号の推定値および残留信号の推定値を発生することにより、希望信号同期シーケンスを有する希望信号、および干渉信号同期シーケンスを有する干渉信号を含む受信信号内で干渉信号同期シーケンスを見つけることができる。受信信号のキャリア対干渉およびノイズ比の推定値が発生される。次に、受信信号のキャリア対干渉およびノイズ比の推定値に基づいて受信信号および残留信号の推定値の一方を使用して干渉信号同期シーケンスを見つけることができる。
【００１０】
特に、受信信号のキャリア対干渉およびノイズ比の推定値が閾値よりも小さければ干渉信号同期シーケンスは受信信号を使用して見つけることができ、受信信号のキャリア対干渉およびノイズ比の推定値が閾値よりも大きければ残留信号の推定値を使用して見つけることができる。受信信号のキャリア対干渉およびノイズ比の推定値が第１の閾値を越える場合には、受信信号および残留信号の推定値の一方を使用して干渉信号同期シーケンスを見つけることができる。受信信号のキャリア対干渉およびノイズ比の推定値が第２の閾値よりも小さい場合には、受信信号を使用して干渉信号同期シーケンスを見つけることができ、受信信号のキャリア対干渉およびノイズ比の推定値が第２の閾値よりは大きいが第１の閾値よりも小さい場合には、残留信号の推定値を使用することができる。
【００１１】
一度見つかると、干渉信号同期シーケンスは干渉信号のチャネル応答を推定するのに使用することができる。特に、見つけた干渉信号同期シーケンスを使用して、複数の遅延の各々に対して媒体応答を推定することができる。複数の媒体応答レイを作り出すために推定媒体応答のサブセットが選択される。次に、媒体応答レイは干渉信号のチャネル応答を推定するのに使用される。
【００１２】
したがって、標準復調および同時復調は受信信号内の信号、ノイズおよび干渉間の関係に基づいて適切な所で選択的に使用される。干渉が低いか存在しない場合には標準復調を使用することができ、干渉が著しい時には同時復調を使用することができる。
【００１３】
（発明を実施するための最良の形態）
次に、本発明の好ましい実施例が示されている、添付図について本発明をより詳細に説明する。しかしながら、本発明は多くの異なる形式で実施することができ、ここに記載されている実施例に限定されるものと解釈すべきではなく、これらの実施例は本開示が行き届いた完全なものであり、本発明の範囲を当業者に十分に伝えるために提供されるものである。全体を通して同じ番号は同じ要素を示す。
【００１４】
図１は本発明に従った選択的同時復調の第１の実施例のブロック図である。図１において、受信信号がアンテナ１０２から受信されベースバンドコンバータ１０４によりベースバンド表現に変換される。次に、信号はアナログ／デジタルコンバータに通され、サンプリングされてシンクロナイザ１０６に送ることができる。ＩＳ-１３６標準におけるように、信号はシンボル当たり１回またはシンボル当たり多数回サンプリングすることができる。
【００１５】
シンクロナイザ１０６は信号を同期化し、さらに、シンボル当たり１または数サンプルとすることができる後述する選択的同時復調器により処理されるレートで出力信号をサンプリングすることができる。シンクロナイザ１０６は、好ましくは、キャリア対干渉およびノイズ比C/(I+N)の推定値も発生し、それはノイズプラス干渉信号の結合強度に対する希望信号強度の推定値である。
【００１６】
受信した同期化信号yは、次に、選択的同時復調器１１０に送られる。特に、同期化信号は復調器または標準復調器とも呼ばれる検出器１１２に送られ、それは第１の検出信号Ｓ1を発生し、それはセレクタ１１４に送られる。検出器１１２は、また、好ましくは干渉信号同期シーケンスを見つけて干渉対ノイズ比(I/N)値を推定する。干渉信号同期シーケンスに関する情報、I/N推定値および検出器１１２から出力される状態情報もコントローラ１１６に送られる。C/(I+N)推定値と共にこの情報を使用して、復調または同時復調が実施され続いて選択されるかどうかを決定することができる。さらに、検出器１１２により与えられる干渉信号同期シーケンスに関する情報を受信信号yと共に使用してチャネル推定器１１８により干渉信号のチャネル応答が推定される。最後に、同時復調器１２０は受信信号y、干渉信号同期情報および干渉信号のチャネル推定値を使用して希望信号と干渉信号の両方を同時に復調し、第２の検出信号Ｓ2を発生してセレクタ１１４に送る。後述する規準に基づいて、第１の検出信号Ｓ1または第２の検出信号Ｓ2が検出信号として選択される。
【００１７】
図２は本発明に従った選択的同時復調の別の実施例のブロック図である。図２において、ここでは検出プロセッサ１１２’と呼ばれる検出器が、後述する方法で、干渉信号同期情報だけでなく希望信号に関する情報を発生する。希望信号に関する情報は、それぞれ、干渉信号チャネル推定および同時復調を選択するために、コントローラ１１６’、チャネル推定器１１８’および同時復調器１２０’にも与えられる。後述するように、希望信号に関するこの情報は希望信号のチャネル推定値、検出された非符号化ビットまたはシンボル情報および符号化ビットまたはシンボル情報を含むことができる。
【００１８】
次に、図２の検出プロセッサ１１２’の実施例のブロック図を図３に示す。検出プロセッサ１１２’は従来の復調技術を使用して希望信号を検出することができる。従来の復調にはプロアキスの教科書 Digital Communications, Second edition, 1989 の171-178頁に記載されているような差動検出、ジャマル等の出版物 Adaptive MLSE Performance on the D-AMPS 1900 Channel, IEEE Transaction on Vehiclar Technology, Vol.46, No.3, August 1997, pp.634-641に記載されているような希望信号しか復調しない等化器、および／またはファフィーズ等の前記出版物およびファフィーズ等の前記特許出願に記載されているような希望信号と少なくとも一つの干渉信号の両方を復調するセミブラインド同時復調器を含むことができる。セミブラインド同時復調器は干渉信号の同期シーケンスの推定値を使用しないため、本発明に従った同時復調とは見なされないことが理解されるであろう。検出プロセッサ１１２’は復調および検出の多数の反復パスを使用して復調および復号を実施するマルチパス検出プロセッサを含むこともできる。1998年11月30日に出願されたケイララー等の特許出願第09/201,623号 Adaptive Channel Characterization using Decoded Symbols を参照されたい。他の検出プロセッサを使用することもできる。
【００１９】
図３に示すように、検出プロセッサ１１２’は好ましくは受信信号yおよびC/(I+N)推定値に応答して残留信号yi,検出シーケンスS1,チャネル推定値および巡回冗長チェック(CRC)等の検出状態を作り出す復調器および復号器３１０を含んでいる。セレクタ３２０がC/(I+N)推定値および検出状態に基づいて受信信号yまたは残留信号yiを選択する。次に、選択された信号は干渉信号同期シーケンスファインダ３３０に加えられて干渉同期シーケンス情報およびI/N推定値を作り出す。
【００２０】
次に、図４に関して、図３の復調器および復号器３１０の好ましい実施例について説明する。図４に示すように、受信信号yはブロック４０２，４０４および４０６において、それぞれ、復調され、デインターリーブされ復号される。復号されたビットはブロック４１２，４１４および４１６において、それぞれ、復号され、インターリーブされ残りの非符号化ビットと結合されて第１の信号S1を発生する。次に、この信号は再復調器４１８において再復調され希望信号のチャネル推定値がコンボルバ４２０に加えられて受信信号yの希望信号部ydを発生する。次に、加算器４２２において希望信号ydを受信信号yから減じることにより残留信号yiが発生される。
【００２１】
次に、図３のセレクタ３２０の動作について詳細に説明する。図３は干渉信号の同期シーケンスを見つける同期シーケンスファインダ３３０への入力として受信信号yまたは残留信号yiを選択するC/(I+N)推定値および利用可能な検出状態を示している。この推定値はyiが選択されず復調からの他の出力は使用されない場合に復調プロセスを実施するかどうかを制御することもできる。C/(I+N)または検出状態は単独に、または組み合わせて使用することができる。検出状態が存在しない場合には（例えば、復号がない）、もちろん、それは使用されない。
【００２２】
C/(I+N)の値は次のようにyまたはyiの選択を制御するのに使用することができる。C/(I+N)>βであれば、同時復調は実施されず干渉信号同期シーケンスは識別されない。
0004541626.tif 000002
であれば、残留信号yiが同期シーケンスファインダ３３０への入力として選択される。最後に、C/(I+N)<αであれば、受信信号yが同期シーケンスファインダ３３０への入力として選択される。αおよびβは閾値を示す。巡回冗長チェック(CRC)情報等の検出状態と同様に、シンクロナイザ１０６により推定値を発生する代わりにC/(I+N)の推定値を復号器１１２／１１２’内で発生できることが理解される。
【００２３】
次に、選択された信号yまたはyiを使用して干渉信号同期シーケンスを見つける同期シーケンスファインダ３３０の好ましい実施例について説明する。干渉信号同期が予め検出されていなければ、全体希望信号スロットプラスその前後の任意特別のサンプルにわたって探索を実施することができる。残留信号yiは一般的に希望信号スロットの範囲内でしか使用できず、それは検出データが一般的にこの範囲外では検出されないためである。この場合、希望信号のスロット境界外側の受信信号が使用される。
【００２４】
一度干渉信号同期シーケンスが検出されると、干渉信号の同期ワードをどこで探索するかのサンプル範囲を予め検出された同期ポイント周りの小さなサンプル範囲に狭めることができる。異なるユーザに対応する多数の可能な同期シーケンスがあることがある。一つの方法は最強同期ワードを有するユーザを検出することである。例えば、探索範囲外であるために干渉信号同期ワードが見つからない場合には、同時復調をターンオフするかあるいはセミブラインド同時復調を使用することができる（すなわち、干渉信号に関する知識がない同時復調）。
【００２５】
図１および２のコントローラ１１６のブロック図およびフロー図が、それぞれ、図５および６に示されている。図５に示すように、同時復調コントローラ５１０への入力はC/(I+N)およびI/Nの測定値および干渉信号同期シーケンスの検出状態を含んでいる。
【００２６】
図６に示すように、同時復調コントローラ５１０は次のように動作することができる。希望信号はノイズおよび干渉の両方に比べて強力であるため、C/(I+N)の値がある値ｂよりも大きければ（ブロック６１０）、従来の復調１１２／１１２’が使用される（ブロック６２０）。C/(I+N)がｂよりも大きくなければ、ブロック６３０において干渉信号同期シーケンスが見つかっているか調べられる。ブロック６３０において干渉信号同期シーケンスが見つかっていなければ、ブロック６５０において従来の復調が使用される。干渉信号同期シーケンスが見つかっておれば、ブロック６４０においてI/Nの測定値が閾値ｃよりも大きいか調べられる。イエスであれば、ブロック６６０において同時復調１１２／１１２’が使用される。そうでなければ、ブロック６７０において従来の復調が実施される。
【００２７】
次に、図７に関して干渉信号チャネル推定器１１８／１１８’の詳細な説明を行う。使用されるコヒーレントな同時復調に対して、好ましくは、干渉信号のチャネルの推定値が得られる。この目的のために三つの異なる技術について説明する。
【００２８】
第１の技術は干渉信号のコンポジットチャネル応答を推定する。この方法は干渉信号の見つけられた同期ワードを使用する従来の最小二乗推定方法を使用することができる。第２の技術は干渉信号に対して一つの媒体レイがあると仮定し、その値および遅延を推定することができる。干渉信号同期ワードを使用して媒体応答の遅延を推定することができる点を除けば、これは前記したファフィーズ等の米国特許出願に記載されている方法と同様である。本発明に従った第３の技術は前記した二つの技術を一般化することができる。特に、媒体応答レイ数が推定され、各レイに対して遅延および係数値が得られる。
【００２９】
第３の技術が図７において説明される。特に、Ｍの予め定められた遅延値において、これらＭの遅延の各々に対する媒体応答がＭタップ推定器７１０により推定される。受信信号y、干渉信号同期シーケンスおよび既知のパルス形状応答７２０が結合されて予め定められた各遅延に対する既知の信号を発生する。次に、例えば最小二乗法を使用して、予め定められた遅延における媒体応答値を推定することができる。遅延値を拘束する必要はなく、それらは受信データに等しいまたはより高いレートで均一な間隔とするか、あるいは受信信号に対して不均一にサンプリングすることができる。しかしながら、パルス形状応答は好ましくは対応する遅延に対して適切にサンプリングされる。
【００３０】
次に、Ｎタップセレクタ７３０において、Ｍタップ推定器７１０からの前記したＭの予め定められた媒体応答推定値を使用して、Ｍの媒体応答レイのサブセットＮが選択され、
0004541626.tif 000003
である。Ｎの選択は下記の方法の中の一つの方法を使用して実施することができる。
【００３１】
第１に、Ｎの予め定められた値を使用することができる。前記計算されたＭの媒体応答レイから最善のＮレイを選択することができる。最善のＮレイは、媒体応答内に最大エネルギを与えるＮレイ等の、ある規準により決定することができる。
【００３２】
あるいは、希望信号に対しては、γ1が一つのチャネルタップを有する希望信号をモデル化しγ2が二つのチャネルタップを有する希望信号をモデル化するという仮定の元で、二つのメトリック値γ1およびγ2を比較することにより一つのコンポジットチャネルタップを使用するか二つのコンポジットチャネルタップを使用するかを判断することが知られている。これら二つのメトリックは次のように定義される。
【数１】
0004541626.tif 000004
【数２】
0004541626.tif 000005
二つのタップはγ2<γ1-δである時に選択され、δはある正の閾値である。1997年7月21日に出願された米国特許出願第08/897,309号 System and Methods for Selecting an Appropriate Detection Technique in a Radiocommunication System を参照されたい。
【００３３】
本発明に従って、干渉信号タップ数は下記の方法により推定することもできる。例として、シンボル当たり１サンプルでサンプリングされた受信信号の第lサンプルが次のようにモデル化される。
【数３】
0004541626.tif 000006
受信信号に対するコンポジット応答および干渉信号に対する媒体応答の推定値を使用することができる。方程式（３）において、Jdは希望信号のコンポジット応答内のタップ数c(i)であり、それはシンボルレートでサンプリングされる。干渉信号の媒体応答g(j)はＭの利用可能な媒体応答タップ推定値から選択されるｎタップを有し、このｎタップの集合がΩnとして示される。これらｎの媒体応答タップは遅延jTsを有するものと仮定され、TsはシンボルレートＴの整数分数である。Sd(l-i)項は希望信号のシンボルデータであり、Sj(l-k)は干渉信号のシンボルデータであり、ρ(-jTs+kT)はパルス形状自己相関関数を表わす。インデックスkはパルス形状自己相関関数ρ(-jTs+kT)内の非ゼロ値に対応するシンボルを表わす。実際上、ρ(-jTs+kT)は多数のサンプルに対して非ゼロとすることができるため、インデックスkは|ρ(-jTs+kT)|>εに対応するシンボルを表わすことができ、εはある小さな正の値である。前記したモデルは分数間隔受信データy(pTs+lT)に対して拡張することができる。
【００３４】
干渉信号媒体応答タップの数Ｎを見つけるために、各nε{1,2,...,M}に対してメトリック値γnが発生される。Ｎはγnを最小限に抑えるｎとして選択される。特に、メトリックγnは次式を使用してn=1,...,Mに対して形成される。
【数４】
0004541626.tif 000007
ここに、
0004541626.tif 000008
は方程式（３）により記述される。p(n)項はアカイケの A New Look at the Statistical Model Identification, IEEE Transaction on Automatic Control, Vol.AC-19 No.6, December 1974, pp.716-723, マーハブ等の On the Estimation of the Order of a Markov Chain and Universal Data Compression, IEEE Transaction on Information Theory, Vol.35, No.5, September 1989, pp.1014-1019, および／またはシュワルツの Estimating the Dimension of a Model, The Annals of Statistics, Vol.6, No.2, 1978, pp.461-464 に記述されている情報理論的方法等のペナルティ項である。γnを最小限に抑えるnmaxに対して、N= nmaxが選択され対応する媒体応答および遅延推定値が同時復調に使用するために選択される。
【００３５】
最後に、同時復調１２０/１２０’について詳細に説明する。同時復調の好ましい実施例は、前記したファフィーズ等の米国特許出願に記載されているのと同様に、ビタビアルゴリズムを使用して希望および干渉信号シンボルシーケンスを同時に推定する。しかしながら、本発明では干渉信号の同期シーケンスは既知であり、たとえ希望信号の同期シーケンスからオフセットされていても検出プロセス内で既知のシンボルとして使用することができる。これは、例えば、復調トレリスを拘束して復調プロセスにおいて既知の干渉信号の同期シンボルを許すだけにして達成することができる。さらに、干渉信号のチャネル推定値は一般的にセミブラインド同時復調受信機におけるよりも信頼度が高く、このチャネルは復調中に適応的に更新することができる。別の実施例では、同時復調は希望信号の第１の検出を利用することができ、この情報を同時復調と一緒に使用することができる。この情報をどのように単独で（同時復調なしで）使用できるかという例が前記した特許出願第09/201,623号に記載されている。
【００３６】
ブロック図およびフロー図を含む図面で本発明のさまざまな側面が詳細に説明された。図面の個別のブロック、および図面のブロックの組合せはコンピュータプログラム命令により実現できることが理解される。これらのコンピュータプログラム命令はプロセッサその他のプログラマブルデータ処理装置に与えて、プロセッサその他のプログラマブルデータ処理装置上で実行する命令がブロック内で指定された機能を実現するための手段を生成するようなマシンを作り出すようにすることができる。これらのコンピュータプログラム命令はプロセッサその他のプログラマブルデータ処理装置を特定の方法で機能するように指令することができるコンピュータ読取可能メモリ内に格納して、コンピュータ読取可能メモリ内に格納された命令がブロック内で指定された機能を実現するための命令を含む製作品を作り出すようにすることができる。
【００３７】
したがって、図面のブロックは指定された機能を実施する構造の組合せ、指定された機能を実施する手段の組合せ、指定された機能を実施するステップおよび／または指定された機能を実施するプログラム命令の組合せをサポートする。また、図面の個別のブロック、およびフロー図内のブロックの組合せは指定された機能やステップを実施する特殊目的ハードウェアベースコンピュータシステム、または特殊目的ハードウェアとコンピュータ命令の組合せにより実現することができる。
【００３８】
図面および明細書に本発明の典型的な好ましい実施例が開示され、特定の用語が利用されたが、それらは一般的かつ記述的感覚だけで使用されるものであって制限する目的ではなく、本発明の範囲は特許請求の範囲に記載されている。
【図面の簡単な説明】
【図１】  本発明に従った選択的同時復調のブロック図である。
【図２】  本発明に従った選択的同時復調のブロック図である。
【図３】  図２の検出プロセッサのブロック図である。
【図４】  図３の復調器および復号器のブロック図である。
【図５】  図１および２のコントローラのブロック図である。
【図６】  図５のコントローラの動作フロー図である。
【図７】  図２の干渉信号チャネル推定器のブロック図である。
【図１】
0004541626.tif 000009
【図２】
0004541626.tif 000010
【図３】
0004541626.tif 000011
【図４】
0004541626.tif 000012
【図５】
0004541626.tif 000013
【図６】
0004541626.tif 000014
【図７】
0004541626.tif 000015